(57)【特許請求の範囲】
【請求項１】
オーディオデータ、及びオーディオデータに対応する管理データが記録されるとともに、上記管理データには、文字情報として、アルバム名情報、及び上記オーディオデータとしての楽曲に対応する曲目情報が含まれている記録媒体を再生する音響再生装置において、
上記記録媒体からオーディオデータ及び管理データを読み出すことのできる読出手段と、
上記読出手段から読み出した上記管理データを表示する表示手段と、
少なくとも上記読出手段によって読み出された管理データにおけるアルバム名情報又は曲名情報としての文字情報を、オーディオデータの出力に対応したタイミングで上記表示手段に表示させる制御を行うとともに、上記表示手段に表示された上記文字情報を外部操作によるスクロールコマンド信号の入力毎に１桁づつ順次スクロールさせて表示させる制御が可能とされたスクロール表示制御手段と、
を備えたことを特徴とする音響再生装置。
【請求項２】
オーディオデータ、及びオーディオデータに対応する管理データが記録されるとともに、上記管理データには、文字情報として、アルバム名情報、及び上記オーディオデータとしての楽曲に対応する曲目情報が含まれている記録媒体を再生する音響再生装置において、
上記記録媒体からオーディオデータ及び管理データを読み出すことのできる読出手段と、
上記読出手段から読み出した上記管理データを表示する表示手段と、
少なくとも上記読出手段によって読み出された管理データにおけるアルバム名情報又は曲名情報としての文字情報を、オーディオデータの出力に対応したタイミングで上記表示手段に表示させる制御を行うとともに、上記表示手段に表示された上記文字情報を外部操作によるスクロールコマンド信号の入力後、設定された所定時間毎に1桁づつ順次スクロールさせて表示させる制御が可能とされたスクロール表示制御手段と、
を備えたことを特徴とする音響再生装置。
【請求項３】
オーディオデータ、及びオーディオデータに対応する管理データが記録されるとともに、上記管理データには、文字情報として、アルバム名情報、及び上記オーディオデータとしての楽曲に対応する曲目情報が含まれている記録媒体を再生する音響再生装置において、
上記記録媒体からオーディオデータ及び管理データを読み出すことのできる読出手段と、
上記読出手段から読み出した上記管理データを表示する表示手段と、
少なくとも上記読出手段によって読み出された管理データにおけるアルバム名情報又は曲名情報としての文字情報を、オーディオデータの出力に対応したタイミングで上記表示手段に表示させる制御を行うとともに、上記曲名情報の表示と、上記アルバム名情報の表示について、いずれか一方を優先させて表示させる優先モード設定手段を備え、優先モード設定手段による設定に応じて表示された上記曲名情報の表示と、上記アルバム名情報の表示の一方についてスクロール表示を行うスクロール表示制御手段と、
を備えたことを特徴とする音響再生装置。
【発明の詳細な説明】
【０００１】
【発明の属する技術分野】
本発明は、光ディスク、光磁気ディスク等のディスク状記録媒体や、デジタルオーディオテープ等のテープ状記録媒体に対して音声（楽曲）データ等を再生する音響再生装置に関するものである。
【０００２】
【従来の技術】
音楽等をデジタルデータで記録する記録媒体として光ディスクやデジタルテープが広く用いられているが、これらのものでは、音声信号データや音声信号の再生処理に必要なアドレス等の制御データだけでなく、アルバムタイトルや曲名、演奏者名等の文字データも記録しておくことが行なわれている。
これらの文字データは再生装置に設けられた表示部において、例えば演奏中に表示されるようにすることにより、ユーザーは演奏中の曲名や演奏者名等を知ることができる。
【０００３】
【発明が解決しようとする課題】
ところで、単に表示するのみでは表示部に対してユーザーの注意をひきつけにくく、表示された曲名等を見落としてしまう場合がある。
また、このような曲名等の文字データは文字数が不特定であり、一方、表示部の文字の表示可能桁数は当然その設計仕様により制限される。このため、表示したい文字データの桁数が表示可能桁数より大きい場合は、その全ての文字を表示することができないという問題があった。
もちろん表示部の文字の表示可能桁数を十分に多く設定することも考えられるが、これは表示領域の無駄が多くなるとともに機器の小型化の要請に反しており実用的ではない。
【０００４】
【課題を解決するための手段】
本発明はこのような問題点にかんがみてなされたもので、表示部に対してユーザーの興味を促すとともに、表示部における表示可能桁数よりも桁数の多い文字情報に対しても、その文字情報内の全ての文字をユーザーに対して表示することができるようにすることを目的とする。
【０００５】
このため本発明の音響再生装置は、オーディオデータ、及びオーディオデータに対応する管理データが記録されるとともに、上記管理データには、文字情報として、アルバム名情報、及び上記オーディオデータとしての楽曲に対応する曲目情報が含まれている記録媒体を再生する音響再生装置において、上記記録媒体からオーディオデータ及び管理データを読み出すことのできる読出手段と、上記読出手段から読み出した上記管理データを表示する表示手段と、少なくとも上記読出手段によって読み出された管理データにおけるアルバム名情報又は曲名情報としての文字情報を、オーディオデータの出力に対応したタイミングで上記表示手段に表示させる制御を行うとともに、上記表示手段に表示された上記文字情報を外部操作によるスクロールコマンド信号の入力毎に１桁づつ順次スクロールさせて表示させる制御が可能とされたスクロール表示制御手段とを備えるようにする。
【０００６】
また、本発明の音響再生装置は、オーディオデータ、及びオーディオデータに対応する管理データが記録されるとともに、上記管理データには、文字情報として、アルバム名情報、及び上記オーディオデータとしての楽曲に対応する曲目情報が含まれている記録媒体を再生する音響再生装置において、上記記録媒体からオーディオデータ及び管理データを読み出すことのできる読出手段と、上記読出手段から読み出した上記管理データを表示する表示手段と、少なくとも上記読出手段によって読み出された管理データにおけるアルバム名情報又は曲名情報としての文字情報を、オーディオデータの出力に対応したタイミングで上記表示手段に表示させる制御を行うとともに、上記表示手段に表示された上記文字情報を外部操作によるスクロールコマンド信号の入力後、設定された所定時間毎に1桁づつ順次スクロールさせて表示させる制御が可能とされたスクロール表示制御手段とを備えるようにする。
【０００７】
さらに、本発明の音響再生装置は、オーディオデータ、及びオーディオデータに対応する管理データが記録されるとともに、上記管理データには、文字情報として、アルバム名情報、及び上記オーディオデータとしての楽曲に対応する曲目情報が含まれている記録媒体を再生する音響再生装置において、上記記録媒体からオーディオデータ及び管理データを読み出すことのできる読出手段と、上記読出手段から読み出した上記管理データを表示する表示手段と、少なくとも上記読出手段によって読み出された管理データにおけるアルバム名情報又は曲名情報としての文字情報を、オーディオデータの出力に対応したタイミングで上記表示手段に表示させる制御を行うとともに、上記曲名情報の表示と、上記アルバム名情報の表示について、いずれか一方を優先させて表示させる優先モード設定手段を備え、優先モード設定手段による設定に応じて表示された上記曲名情報の表示と、上記アルバム名情報の表示の一方についてスクロール表示を行うスクロール表示制御手段とを備えるようにする。
【０００８】
スクロール表示を行なうことにより、動的な表示がなされてユーザーの興味を促すことができるとともに、表示部の桁数によらず如何なる桁数の文字情報にも対応できる。
【０００９】
【発明の実施の形態】
以下、図１〜図４を用いて本発明の音響再生装置の第１の実施の形態を説明する。この実施の形態は光磁気（ＭＯ）ディスクを記録媒体として用いた記録再生装置で、図１はこの記録再生装置の要部のブロック図を示している。
【００１０】
この図において１は光磁気ディスクを示し、スピンドルモータ２により回転駆動される。光磁気ディスク１には音声データとして複数の楽曲が記録され、また、この光磁気ディスク１のＴＯＣ領域には演奏時間データや曲数等のほか、文字データとして、この光磁気ディスクのアルバムタイトルや各楽曲の曲名が記録されている。
３は光磁気ディスク１に対して再生時にレーザ光を照射する光学ヘッドであり、磁気カー効果により反射光からデータを検出する。
【００１１】
光学ヘッド３にはレーザ出力手段としてのレーザダイオードや、偏光ビームスプリッタや対物レンズ等からなる光学系、及び反射光を検出するためのディテクタが搭載されている。対物レンズ３ａは２軸機構４によってディスク半径方向及びディスクに接離する方向に変位可能に保持されており、また、光学ヘッド３全体はスレッド機構５によりディスク半径方向に移動可能とされている。
【００１２】
再生動作によって、光学ヘッド３により光磁気ディスク１から検出された情報はＲＦアンプ６に供給される。ＲＦアンプ６は供給された情報の演算処理により、再生ＲＦ信号、トラッキングエラー信号、フォーカスエラー信号、アドレス情報等を抽出する。そして、抽出された再生ＲＦ信号、アドレス情報は信号処理部７に供給され、ＣＩＲＣデコード処理及びＥＦＭ復調処理等が施される。
【００１３】
デコード処理により抽出された再生音声信号はＤ／Ａ変換部８によってアナログ音声信号（Ｌ，Ｒオーディオ）とされ、端子９から所定回路部に出力される。また、アドレス情報やタイムコードデータ等はマイクロコンピュータによって構成される制御部１０に供給され、再生動作制御に用いられる。
【００１４】
ＲＦアンプ６で得られたトラッキングエラー信号、フォーカスエラー信号はサーボドライブ回路１１に供給される。
サーボドライブ回路１１は供給されたトラッキングエラー信号、フォーカスエラー信号や、制御部１０からのトラックジャンプ指令、シーク指令、回転速度検出情報等により各種サーボ駆動信号を発生させ、２軸機構４及びスレッド機構５を制御してフォーカス及びトラッキング制御をなし、またスピンドルモータ２を一定角速度（ＣＡＶ）又は一定線速度（ＣＬＶ）に制御する。
【００１５】
１２はユーザー操作に供されるキー操作部であり、再生／一時停止キー１２ａ、停止キー１２ｂ、ＡＭＳキー１２ｃ等の再生操作キーが設けられているとともに、録音キー１２ｄ、スクロールキー１２ｅ、表示モードキー１２ｆ等が備えられている。また、ジョグダイヤル１２ｇも設けられ、変速再生等の操作とともに、後述するように表示スクロール制御操作に用いられる。キー操作部１２からのキー操作情報は制御部１０に供給される。
【００１６】
１３は液晶表示ドライバ、１４は例えばドットマトリクス方式の液晶ディスプレイによって１２桁の文字表示が可能とされるように構成されている表示部を示す。液晶表示ドライバ１３に制御部１０から表示データが供給されると、液晶表示ドライバ１３はその表示データに応じた駆動電圧を発生し、これを表示部１４における所定の液晶電極に印加することによって、表示動作が実行される。
１５は光磁気ディスク１のＴＯＣ領域から読み込まれた文字データを記憶するＲＡＭを示す。
【００１７】
一方、１６は光磁気ディスク１に対して記録すべき音声信号が供給される端子を示し、端子１６から入力された信号はＡ／Ｄ変換器１７によってデジタル信号とされた後、記録信号処理部１８に供給され、音声圧縮エンコード処理、ＣＩＲＣエンコード処理、ＥＦＭ変調処理等が施され、記録データとされる。この記録データは磁気ヘッド駆動回路１９に供給され、磁気ヘッド駆動回路１９は供給された記録データに応じて磁気ヘッド２０からＮ又はＳの磁界を光磁気ディスク１に印加する。
【００１８】
記録時においては光学ヘッド３から再生時より高出力のレーザビームが照射されており、このレーザビームによってキュリー温度以上に過熱された記録面に対して、磁気ヘッド２０が磁界を印加することで、その磁界方向が光磁気ディスク１に記録され、データ記録がなされる。もちろん、磁気ヘッド２０はスレッド機構５によって、光学ヘッド３と一体的にディスク半径方向に移動されるようになされている。
【００１９】
また、光磁気ディスク１には音声データだけでなく、その光磁気ディスク１に記録された楽曲等の管理データとして所謂ＴＯＣ情報（Ｔａｂｌｅ  ｏｆ  Ｃｏｎｔｅｎｔｓ  ）が存在しているが、さらに、本例のような録音可能タイプのものにはユーザーが録音した楽曲の曲名やディスク名（アルバムタイトル）等の文字情報を楽曲に対応して書き込むことができるようにＴＯＣ領域の一部にユーザーＴＯＣ領域が確保されている。
【００２０】
文字情報の入力のために例えばキーボード形式の文字入力部２１も設けられており、例えばアルファベット、ひらがな、カタカナ、漢字、数字等の入力が可能とされている。そして、ユーザーが録音時等において文字入力部２１や操作部１２を操作して文字情報を入力することにより、その文字情報は光磁気ディスク１のユーザーＴＯＣ領域に書き込まれる。そして、再生時においては、例えば光磁気ディスク１がこの記録再生装置に装填された時点でＴＯＣ領域の情報が読み出され、管理データやＲＯＭ化された文字情報とともに、ユーザーＴＯＣ領域に書き込まれた文字情報も読み出されてＲＡＭ１５に取り込まれるため、制御部１０はそのＲＡＭ１５の情報に基づいて各種再生動作管理や表示部１４における数値、文字等の表示を行なうことができる。
【００２１】
制御部１０は記録／再生時において各部の記録／再生動作制御を行なう他、表示部１４に対する表示制御手段として機能するため、内部の装置及びソフトウエアにより、図２のような構成を有することになる。
【００２２】
３０はＡ／Ｄ変換部であり、操作部１２からの操作情報をデジタルデータとして表示制御部３１に供給する。また、３２は表示データバッファであり、ＲＡＭ１５に取り込まれたＴＯＣ情報のうち表示すべきデータ（例えば文字情報や演奏時間情報等）や、再生信号処理部７から供給された各種データのうち表示用のデータ（例えばタイムコード等による再生演奏進行時間データ）を保持し、表示制御部３１に供給する。
【００２３】
表示制御部３１は表示データバッファ３２から供給された文字や数値の表示データを、操作部１２からの入力情報、又はタイマ３４からの時間情報に基づいて表示バッファ３５に送り、液晶表示ドライバ１３に供給して表示部１４に表示させる。なお、年月日や時刻を保持する日時保持部３６を有することにより、表示部１４において時計表示又はカレンダー表示をなすことができる。
３３は表示書込制御部であり、ユーザーが文字入力部２１及び操作部１２を用いて入力した文字情報を記録信号処理部１８に供給し、ユーザーＴＯＣ領域に記録させる。また、書込時においてもその書込文字を表示させるために、入力文字を表示制御部３１に供給する。
【００２４】
このような第１の実施の形態の構成の音響記録再生装置において実現される文字情報のスクロール表示を含む表示処理方式（自動スクロール）について説明する。
ここで、光磁気ディスク１のＴＯＣ領域に記録され、表示部１４における表示に供される文字情報としては、アルバム名と各楽曲の曲名が存在するとする。
説明上、アルバム名として予め光磁気ディスク１に記録されている文字情報又はユーザーが書き込んだ文字情報を『ＭＡＲＩＡＨ  ＣＡＲＥＹ  ＥＭＯＴＩＯＮＳ』、同じく第１曲目の曲名を『ＥＭＯＴＩＯＮＳ』、第２曲目の曲名を『ＡＮＤ  ＹＯＵ  ＤＯＮ’Ｔ  ＲＥＭＥＭＢＥＲ』とする。
また、表示制御プログラム上において、表示モードとしてアルバム名（ディスクネーム）優先モードと、曲名（トラックネーム）優先モードが用意され、表示モードキー１２ｆによってユーザーが選択するものとされる。
【００２５】
本実施の形態では、制御部１０における図２の構成によって実現される処理を示す図３のフローチャートによって、ユーザーの操作にかかわりなくスクロール表示が実行される。なお図４（ａ）〜（ｊ）に表示部１４の表示例を示す。
【００２６】
再生動作が開始され、ディスクローディングが実行されている時は（Ｆ１０１）、例えば表示部１４には図４（ａ）のように再生される楽曲が第１曲目であることを示す『１』が表示される。つまり、制御部１０はブランク及び『１』という表示データを液晶表示ドライバ１３に供給する。
【００２７】
ローディング動作後、光磁気ディスク１のＴＯＣ領域から表示データとしてアルバム名及び収録された各楽曲の曲名が読み込まれると、制御部１１はこれをＲＡＭ１５に記憶させる（Ｆ１０２）。そして、まずアルバム名及び第１曲の曲名をＲＡＭ１５から読み出し（Ｆ１０３）、この両方又は一方を所定時間表示部１４に表示させる（Ｆ１０４）。例えば、一旦図４（ｂ）のようにアルバム名を２秒程度表示させ、つづいて図４（ｃ）のように曲名を２秒程度表示させる。ここで、表示部１４の表示可能桁数は１２桁であるため、２１桁のアルバム名はその全ては表示できない。そこで、制御部１０は先頭１２桁のみを表示データとして液晶表示ドライバ１３に供給している。
【００２８】
このステップＦ１０４において、一旦アルバム名、曲名の一方又は両方が数秒間だけ表示された後、表示モードとして優先表示に設定されているデータが表示される。つまり、この時点で、アルバム名優先モードとされていれば『ＭＡＲＩＡＨＣＡＲＥＹ  ＥＭＯＴＩＯＮＳ』が、また、曲名優先モードとされていれば『ＥＭＯＴＩＯＮＳ』が表示データとされる。
説明上、現在システムはアルバム名優先モードとされているものとする。
【００２９】
ここで優先表示データは『ＭＡＲＩＡＨ  ＣＡＲＥＹ  ＥＭＯＴＩＯＮＳ』であり、この桁数（データ長ｍ）が判別される（Ｆ１０５）。そして桁数ｍ＝２１であり、これを表示可能桁数ｎ（＝１２）と比較し、ｎ≧ｍであれば、そのまま全文字を表示可能であるため、制御部１０はそのデータを液晶表示ドライバ１３に供給して表示部１４に表示させるが（Ｆ１０７）、この場合ｎ＜ｍであるため、全文字を表示することはできない。そこで、以下、優先表示データ『ＭＡＲＩＡＨ  ＣＡＲＥＹ  ＥＭＯＴＩＯＮＳ』のスクロール表示を実行する  （Ｆ１０６→Ｆ１０８）  。
【００３０】
まず制御部１０は、変数ａをａ＝１とし（Ｆ１０８）、優先表示データの内の第ａ桁〜第｛ａ＋（ｎ−１）｝桁迄のデータを液晶表示ドライバ１３に供給する（Ｆ１０９）。つまり、先ず最初に先頭１２桁の文字が表示データとして出力され、表示部１４には図４（ｄ）のように表示される。そして、この表示のまま数１０ｍｓｅｃ待機し（Ｆ１１０）、この時点ではスクロールは終了していないため変数ａをインクリメントし  （Ｆ１１１→Ｆ１１２）  、ステップＦ１０９に戻って第ａ桁〜第｛ａ＋（ｎ−１）｝桁迄のデータを液晶表示ドライバ１３に供給する。つまり、今度は図４（ｅ）のように優先表示データの内の第２〜１３桁が表示される（１文字分スクロールされる）。
【００３１】
以降、このステップＦ１０９〜Ｆ１１２のループが繰り返されることにより、数１０ｍｓｅｃ毎に１文字づつのスクロール表示が実行され、表示内容は図４（ｆ）〜（ｈ）のように変化していく。
【００３２】
このスクロール動作の終了は、例えば図４（ｈ）のように最後尾の文字に３文字分のブランクがつくまでスクロールが実行された時点や、或はこの３文字分のブランクの後再び先頭文字から順次出力され、図４（ｄ）の状態までスクロールが一巡した時点等に設定すればよい。スクロールが終了と判断されたら、以後制御部１０は優先表示データの先頭１２文字を液晶表示ドライバ１３に継続して供給し、図４（ｉ）のように先頭１２文字を固定表示させる（Ｆ１１３）。
【００３３】
その後、１曲目の再生演奏が終了し、又はＡＭＳ操作により、演奏が２曲目に移ったら、制御部１０は２曲目の曲名をＲＡＭ１５から読み出し  （Ｆ１１５→Ｆ１０３）  その曲名『ＡＮＤ  ＹＯＵ  ＤＯＮ’Ｔ  ＲＥＭＥＭＢＥＲ』を２秒程度表示させる。ただし、この場合１２桁以上であるため、図４（ｊ）のように先頭１２桁しか表示されない。そしてシステムはアルバム名優先モードであるため、その後上述したようにアルバムタイトルがスクロール表示（図４（ｄ）〜（ｈ）の表示）され、引き続き、アルバムタイトルの先頭１２桁が固定表示（図４（ｉ））される。
【００３４】
なお、この時点で表示モードが曲名優先モードに変更されていたとしたら、曲名『ＡＮＤ  ＹＯＵ  ＤＯＮ’Ｔ  ＲＥＭＥＭＢＥＲ』が優先表示データとなり、これは１２桁以上であるため、これが上記アルバム名と同様にスクロール表示され、スクロール終了後、先頭１２桁が曲終了まで継続表示されることになる。
以上の処理は再生終了まで実行される（Ｆ１１４）。
【００３５】
以上のように表示文字の桁数が表示可能桁数より大きい場合は順次スクロールして全文字を表示することにより、ユーザーはその文字情報を正確に認識できることになる。
【００３６】
次に本発明の第２の実施の形態として、ユーザー操作によるステップスクロール処理について説明する。なお、記録再生装置の構成及び制御部１０における表示制御のための構成は上記図１、図２と同様であるため説明を省略する。
【００３７】
この場合、図２の構成を有する制御部１０の処理として、図５のフローチャートに示すように、ユーザーの操作によって１ステップづつスクロール表示が実行される。
なお、ステップＦ２０１〜Ｆ２０７は図３のステップＦ１０１〜Ｆ１０７と同様であるため説明を省略する。
【００３８】
この場合も、優先表示データをスクロール表示するものであるが、優先表示データが１３桁以上であるときは、まず、変数ａ＝１とされて（Ｆ２０８）、図４（ｄ）のように先頭１２桁が表示されるが（Ｆ２０９）、スクロールはユーザーのスクロールキー１２ｄの操作を待って行なわれる。ユーザーがスクロールキー１２ｄを押すと、変数ａがインクリメントされ  （Ｆ２１０→Ｆ２１１→Ｆ２１２）  、ステップＦ２０９に戻って制御部１０は第２〜１３桁の文字を表示データとして液晶表示ドライバ１３に供給する。つまり図４（ｅ）のように第２〜１３桁の文字が表示される（１文字スクロールされる）。
【００３９】
以降、同様にユーザーがスクロールキー１２ｄを押すごとに１ステップづつ表示文字がスクロールされていき、スクロール終了と判断された後は、再び変数ａ＝１とされ、最初の表示状態に戻る  （Ｆ２１１→Ｆ２０８→Ｆ２０９）  。つまり図４（ｉ）のように先頭１２文字の表示に戻る。
また、ユーザーによるスクロールキー１２ｄの操作が継続して例えば５秒以上なかったときも変数ａ＝１とされ、先頭１２文字の表示に復帰する  （Ｆ２１４→Ｆ２０８→Ｆ２０９）  。
【００４０】
楽曲の演奏中はこのようにスクロールコマンド入力の待機状態をとっているが、その楽曲が自然に又はＡＭＳ操作により終了し、例えば２曲目に移行すると、２曲目の曲名データをＲＡＭ１５から読み出し  （Ｆ２１３→Ｆ２１５→Ｆ２１６→Ｆ２０３）  、例えば曲名を２秒程度表示した後（Ｆ２０４）、優先表示データが１３桁以上であれば、これを同様にユーザー操作に基づいてスクロール表示がなされるようにする  （Ｆ２０５〜Ｆ２１４）  。
【００４１】
このように、ユーザーの操作により１ステップづつスクロールされることにより、ユーザーが見たいときに全文字情報を表示することができ、例えば車載用音響再生装置のように、ユーザーが視点を表示部１４に常に固定できない場合が（運転中など）考えられる機器には好適である。
【００４２】
次に本発明の第３の実施の形態として、ユーザー操作による自動スクロール表示処理について説明する。なお、この実施の形態も記録再生装置の構成及び制御部１０における表示制御のための構成は上記図１、図２と同様であるため、説明を省略する。
【００４３】
この場合、図２の構成を有する制御部１０の処理として、図６のフローチャートに示すように、ユーザーの操作によって自動スクロール表示が実行される。
なお、ステップＦ３０１〜Ｆ３０７は図３のステップＦ１０１〜Ｆ１０７と同様であるため説明を省略する。
【００４４】
この場合も、優先表示データをスクロール表示可能とするものであり、優先表示データが１３桁以上であるときは、まず、変数ａ＝１とされて（Ｆ３０８）、図４（ｄ）のように先頭１２桁が表示されるが（Ｆ３０９）、スクロールはユーザーのスクロールキー１２ｄの操作を待って行なわれる。ユーザーがスクロールキー１２ｄを押すと、変数ａがインクリメントされ、制御部１０は第ａ〜第ａ＋（ｎ−１）桁の文字を表示データとして液晶表示ドライバ１３に供給する  （Ｆ３１０→Ｆ３１１→Ｆ３１２）  。つまり図４（ｅ）のように第２〜１３桁の文字が表示される（１文字スクロールされる）。
【００４５】
以降、例えば  ０．５秒毎に変数ａがインクリメントされて、１ステップづつ表示文字がスクロールされていき  （Ｆ３１３→Ｆ３１４→Ｆ３１１→Ｆ３１２）  、スクロール終了と判断された後は、再び変数ａ＝１とされ、最初の表示状態に戻る  （Ｆ３１４→Ｆ３０８→Ｆ３０９）  。つまり図４（ｉ）のように先頭１２文字の表示に戻る。
【００４６】
楽曲の演奏中はこのようにスクロールコマンド入力の待機状態をとっているが、その楽曲が自然に又はＡＭＳ操作により終了し、例えば２曲目に移行すると、２曲目の曲名データをＲＡＭ１５から読み出し  （Ｆ３１５→Ｆ３１６→Ｆ３１７→Ｆ３０３）  、例えば２秒程度表示した後（Ｆ３０４）、優先表示データが１３桁以上であれば、同様にユーザー操作をトリガとして自動的に１ステップづつのスクロール表示が実行されていくようにする  （Ｆ３０５〜Ｆ３１４）  。
【００４７】
この実施の形態も、ユーザーの操作によりスクロールされることにより、ユーザーが見たいときに全文字情報を表示することができ、例えば車載用音響再生装置に好適である。
【００４８】
次に、本発明の第４の実施の形態を説明する。この実施の形態は上記第１，第３の実施の形態のように制御部１０が所定タイミング毎に自動スクロール表示を行なう際に、表示データの文字数や文字種別、或はユーザー操作によりスクロール速度を変化させるものである。
記録再生装置としての構成は前記図１と同様であるため説明を省略する。
【００４９】
この実施の形態の場合、制御部１０における表示制御機能ブロックは図７のようになる。前記図２と同様にＡ／Ｄ変換部３０、表示制御部３１、表示データバッファ３２、表示書込制御部３３、タイマ３４、表示バッファ３５、日時保持部３６を有し、上記第１〜第３の実施の形態のようにスクロール表示が可能とされる。
【００５０】
そしてさらに、表示データバッファ３２から表示制御部３１に供給される表示データについて、その文字数をカウントする文字数カウンタ３７が設けられ、また、カウントされた文字数の比較基準値Ｎを発生させる比較基準発生部３８が設けられている。そして、文字数カウンタ３７からの計数出力Ｃと比較基準発生部３８からの比較基準値Ｎを比較する比較部３９が設けられ、比較結果が表示制御部３１に入力される。
【００５１】
また、表示データバッファ３２から表示制御部３１に供給される表示データについて、その表示データの文字の種別、例えば英文字、カタカナ、ひらがな、漢字、数字等の種別を判別する表示データ判別部４０が設けられており、表示データ判別部４０による判別結果情報が表示制御部３１に入力される。
【００５２】
即ち、この実施の形態は、文字数、文字種別、又は操作部１２のジョグダイヤル１２ｇやＡＭＳキー１２ｃ等によるユーザー操作に応じてスクロール速度を変化させ、表示内容をユーザーにとって読み易くするものである。
【００５３】
スクロール動作自体は上記第１又は第３の実施の形態のように所定時間毎に１桁づつ実行される（自動スクロール）ものとし、重複説明は避ける。この実施の形態では１桁づつのスクロール動作の時間間隔を設定する処理が表示制御部３１においてなされるものであり、これをスクロール速度補正処理として図８のフローチャートに示す。なお、表示する文字数が本実施の形態の場合で１２桁以内であったら以下の処理は実行されないことはいうまでもない。
【００５４】
まず、表示制御部３１は、表示データについて表示データ判別部４０によってなされた判別情報を取り込んだら、それが当該記録再生装置が使用される地域の言語文字（仕向け地文字）と一致しているか否かを判別する（Ｆ４０１）。使用される地域の言語文字の情報は出荷時等にその仕向け地（販売地）に合わせて予め表示制御手段３１の動作プログラム又は不揮発性メモリ手段等に設定されており、例えば日本国内で使用される機種であれば、漢字、ひらがな、カタカナが該当する。また、アメリカ、イギリス等で使用される機種であれば英文字が該当する。
これら仕向け地文字に、表示データが該当していれば、スクロール速度を所定レベルだけ高速に設定し（Ｆ４０２）、また一致していなければ所定レベルだけ低速に設定する（Ｆ４０３）。
【００５５】
例えば日本人にとっては日本語表示の場合或る程度スクロール速度が早くても表示データの判読に支障はなく、かえってスクロール速度が早い方が読み易い場合が多く、しかも全文字をすばやく表示できるので好適である。ところが、アルファベット等の文字であるとスクロール速度が遅い方が読み易い。そこで、このように表示データの文字種別によりスクロール速度を調整する。
【００５６】
次に表示制御部は、同じく表示データについて表示文字数についての計数値Ｃと比較基準値Ｎの比較情報を比較部３９から取り込み、表示データの長さの程度を判別する（Ｆ４０４）。そして、Ｃ＞Ｎであったらスクロール速度を所定ベルだけ高速に設定し（Ｆ４０５）、またＣ≦Ｎであったら所定ベルだけ低速に設定する（Ｆ４０６）。比較基準値Ｎは例えば表示部１４が１２桁である場合は、『１６』と設定されている。
【００５７】
つまり、表示データが１３〜１６桁程度であればゆっくりスクロールしてもユーザーにとって全文字表示が遅いと感じられる時間とはならないが、１７桁以上であると、低速スクロールではユーザーが全文字表示の時間がかかりすぎ、じれったいと感じるため、高速スクロールを行なうようにする。例えばこの場合の高速スクロールは低速スクロールに対して  １．３倍くらいの速度とするとよい。
【００５８】
もちろん比較基準値ＮはＮ＝１７以外でもよく、さらに、比較基準値Ｎを段階的に複数設定して、文字数に応じてより細かく速度設定するようにしてもよい。さらに比較基準値Ｎをユーザーが設定変更できるようにすれば、さらにユーザーの好みに適応できる。
また、比較基準発生部３８及び比較部３９を設けず、文字数カウンタ３７の計数値Ｃを直接判別して、１文字単位で速度が可変設定されるようにしてもよい。
【００５９】
次に、ユーザーが予め行なうことのできるスクロール速度設定について判別する（Ｆ４０７）。ユーザーは操作部１２を用いて好みのスクロール速度を設定することができ、設定された値は表示制御部３１において例えばバックアップ電源を有するＲＡＭ又は不揮発性メモリ手段等に記憶される。又は設定速度が２又は数段階程度であれば、機器筺体に設けるスライドスイッチの位置等によって判別してもよい。
【００６０】
表示制御手段３１はこのユーザー設定されたスクロール速度の情報に基づいてスクロール速度を所定ベルだけ高速に設定し（Ｆ４０８）、または所定レベルだけ低速に設定する（Ｆ４０９）。もちろんユーザーが特に設定しておらず、標準速度設定状態であれば速度設定を変更しない  （Ｆ４０７→Ｆ４１０）  。
【００６１】
最後に表示制御手段３１は操作部１２におけるリアルタイムのスクロール速度調整がなされているかを判別する（Ｆ４１０）。例えばスクロール動作中にユーザーがジョグダイヤル１２ｇを高速方向又は低速方向に回したかどうかを判別し、ジョグダイヤル１２ｇが高速方向に回されていれば、その回転操作角度に応じてスクロール速度を所定ベルだけ高速に設定し（Ｆ４１１）、またジョグダイヤル１２ｇが低速方向に回されていれば、その回転操作角度に応じて所定ベルだけ低速に設定する（Ｆ４１２）。これにより、ユーザーの好みの速度でスクロールが実行されることになる。なお、速度調整操作はジョグダイヤル１２ｇ以外のキー、例えばＡＭＳキー１２ｃ等を用いるようにしてもよい。
【００６２】
以上のように、文字種別、文字数、ユーザー設定、ユーザー操作による４段階の速度調整項目により速度調整設定を行ない、最終的に調整された速度（時間間隔）を状態で、前記図３、図６の処理を行なう。即ち、図３のステップＦ１１０、又は図６のステップＦ３１３における待機時間が可変制御されることになる。
ここで、各段階の速度調整量（ステップＦ４０２，Ｆ４０５，Ｆ４０８，Ｆ４１１  の速度増レベル及びステップＦ４０３，Ｆ４０６，Ｆ４０９，Ｆ４１２  の速度減レベル）はそれぞれ互いに均一としてもよいし、速度調整項目に応じて重みづけをして不均一としてもよい。
【００６３】
このようにスクロール速度を可変制御することにより、ユーザーの好みに応じ、又は最も表示文字を読み易い速度、又は快適な速度でスクロールを実行することができるという効果がある。
【００６４】
ところで、この実施の形態では４段階の速度調整項目に対応してスクロール速度調整を行なうようにしたが、これらのうち１つのみで速度調整が実行されたり、又は選択された２又は３つの速度調整項目に対応してスクロール速度調整を行なうようにしてもよい。また、速度調整項目をユーザーが任意に選択できるようにしてもよい。
【００６５】
次に本発明の第５の実施の形態を説明する。上述してきた実施の形態では表示すべき文字情報の桁数が表示可能桁数より大きい場合に対応してスクロール動作を行なうようにしたが、この実施の形態は文字情報の桁数に関わらずスクロールを行なうことで常に動的な表示を行ない、表示内容に対するユーザーの興味をひきつけることができるようにするものである。記録再生装置の構成及び制御部１０の構成は前記図１，図２と同様とする。
【００６６】
この実施の形態の場合における制御部１０の処理を図９に示す。なお、スクロール表示される文字を曲名である『ＥＭＯＴＩＯＮＳ』として、その表示動作例を図１０に示す。
再生動作において、ディスクローディングされてＴＯＣ領域から表示データがＲＡＭ１５に読み込まれると（Ｆ５０１，Ｆ５０２）  、制御部１０はＲＡＭ１５より表示データ、例えば文字情報『ＥＭＯＴＩＯＮＳ』を読み出して表示データバッファ３２に取り込む（Ｆ５０３）。取り込んだ表示データを説明上、表示データＤＤとする。この場合、図１０（ａ）のように『ＥＭＯＴＩＯＮＳ』が表示データＤＤとなる。
【００６７】
そして表示制御部３１において、表示データＤＤの前に表示桁（ｎ桁，ｎ＝１２）分のブランクデータを付加して図１０（ｂ）のように表示データＳＤＤを生成する（Ｆ５０４）。従って１２桁のブランク及び『ＥＭＯＴＩＯＮＳ』の文字が表示データＳＤＤとされる。
【００６８】
そして変数ａをａ＝１とし（Ｆ５０５）、まず表示データＳＤＤのうち第ａ〜第ａ＋（ｎ−１）桁目までのデータを表示バッファ３５を介して液晶表示ドライバ１３に供給する。つまり、図１０（ｃ）のようにブランク表示がなされる（Ｆ５０６）。
以降、数１０ｍｓｅｃ毎に（Ｆ５０７）、変数ａがインクリメントされ（Ｆ５０９）、ステップＦ５０６に戻ることにより、図１０（ｄ）〜（ｇ）のようにスクロール表示がなされていく。
【００６９】
スクロールの終了は、例えば図１０（ｇ）の段階までスクロールが終了した時点、或は図１０（ｈ）の段階までスクロールが終了した時点などに設定しておき、ステップＦ５０６〜Ｆ５０９のスクロール処理が終了したら、表示データＤＤについて第１桁目から第ｎ桁目（第１２桁目）までの表示に切り換えられる  （Ｆ５０８→Ｆ５１０）  。従ってこの場合、図１０（ｈ）の表示が以降継続される。
その後、再生終了又は再生楽曲の変化（もしくは表示内容の変化等）に応じてスクロール表示処理等が実行される（Ｆ５１１，Ｆ５１２）  。
【００７０】
ところで、このフローチャートでは優先表示データの設定については触れていないが、このようにスクロール表示されるのは、優先表示データのみとしたり、表示する全ての文字データについて実行するようにすることが考えられる。さらに、再生時間、時刻、トラックナンバ等の数字表示についても、その桁数に関係なくスクロールさせることで興味深い表示を行なうことができる。
また、スクロール開始のタイミングを第３の実施の形態のようにユーザー操作に基づくようにしてもよい。さらに、第２の実施の形態のようにユーザー操作に応じたステップスクロールが行われるようにしてもよい。
【００７１】
なお、本発明に採用できるスクロール処理方式としては以上の各種実施の形態に限定されず、さらに多様に考えられる。例えば第１、第３、第５の実施の形態において楽曲終了まで自動スクロールが繰り返されるようにしたり、また第１〜第３の実施の形態においてスクロールされる文字データを優先表示データに限定せず、表示される文字データで桁数が表示可能桁数より大きいものは全てスクロールされるようにしてもよい。
【００７２】
さらに、第１〜第３の各実施の形態を組み合わせ、一旦自動スクロール終了後に、ユーザー操作によりステップスクロール又は自動スクロールがなされるようにしてもよい。
また、ユーザー操作によるスクロールにおいて、上記第２、第３（又は第５）の実施の形態を並列的に採用し、スクロールキー１２ｄの１回の押圧でステップスクロールが実行されるとともに、スクロールキー１２ｄを継続して例えば２秒以上押圧したときは以降自動スクロールが実行されるようにすることも考えられる。もちろん操作キーを別に設けても良い。
【００７３】
また、第１、第３、第５の実施の形態のように自動スクロール制御を行なう場合は、すべて上記第４の実施の形態又はその変形処理によるスクロール速度調整方式を採用できる。
もちろんこれらに加えてさらにスクロール制御方式を各種組み合わせることも可能である。
【００７４】
なお、音響再生装置として光磁気ディスクに対応した記録再生装置で説明したが、本発明はこれに限らず、光ディスク、デジタルオーディオテープ等を記録媒体とした記録再生装置や、さらに再生専用装置等においても適用可能であることはいうまでもない。
【００７５】
【発明の効果】
以上説明したように本発明の音響再生装置は、オーディオ再生時に表示すべきデータ、即ち曲名情報やアルバム名情報をスクロール表示できるようにしたため、これらの表示内容に対してユーザーの興味をひきつけることができる。
【００７６】
また特に表示制御手段は、記録媒体から読み出され表示部の表示に供される文字情報の桁数が、表示部における表示可能桁数より大きい場合には、当該文字情報はスクロールされて表示できるように構成することにより、表示文字情報のデータ長に関わりなく全文字を表示することができるという効果があり、また表示部の表示領域の無用な拡大を招かないという利点もある。さらに、スクロール表示はユーザーの操作に基づいて実行されるようにすることで、最適な時点で全文字をユーザーに提示することができるという効果も生ずる。
更に曲名情報とアルバム名情報の表示を優先モードの設定に応じて実行することで、ユーザーにとって望ましい表示が可能となる。
【図面の簡単な説明】
【図１】本発明の光磁気ディスクに対応した実施の形態としての音響再生装置の要部のブロック図である。
【図２】第１〜第３の実施の形態の制御部に設けられる表示制御系のブロック図である。
【図３】第１の実施の形態のスクロール処理方式のフローチャートである。
【図４】第１〜第３の実施の形態の表示動作の説明図である。
【図５】第２の実施の形態のスクロール処理方式のフローチャートである。
【図６】第３の実施の形態のスクロール処理方式のフローチャートである。
【図７】第４の実施の形態の制御部に設けられる表示制御系のブロック図である。
【図８】第４の実施の形態におけるスクロール速度補正処理のフローチャートである。
【図９】第５の実施の形態のスクロール処理方式のフローチャートである。
【図１０】第５の実施の形態のスクロール表示動作の説明図である。
【符号の説明】
１  光磁気ディスク、３  光学ヘッド、１０  制御部、１２  キー操作部、１２ｄ  スクロールキー、１２ｆ  表示モードキー、１２ｇ  ジョグダイヤル、１３  液晶表示ドライバ、１４  表示部、１５  ＲＡＭ、２１  文字入力部、３１表示制御部、３２  表示データバッファ、３３  表示書込制御部、３５  表示バッファ、３７  文字数カウンタ、３８  比較基準発生部、３９  比較部、４０表示データ判別部
【図１】
0003606261.tif 000002
【図２】
0003606261.tif 000003
【図３】
0003606261.tif 000004
【図４】
0003606261.tif 000005
【図５】
0003606261.tif 000006
【図６】
0003606261.tif 000007
【図７】
0003606261.tif 000008
【図８】
0003606261.tif 000009
【図９】
0003606261.tif 000010
【図１０】
0003606261.tif 000011